(57)【要約】【課題】文字板のＬＣＤ表示領域に配置されるＬＣＤの表示画面の視認性を向上させることをできるＬＣＤ保持装置および車両用メータを提供すること。【解決手段】ＬＣＤ保持装置は、ケース２に矩形かつ平板状のＬＣＤ１の外形に合わせて矩形の凹状に形成され、ＬＣＤ１を収納するＬＣＤ収納部３と、ＬＣＤ収納部３の矩形の一辺に設けられ、収納されるＬＣＤ１の一辺を押さえるＬＣＤ押さえ部１３とを備え、ＬＣＤ押さえ部１３は、ケース２より立設された可撓性を有する足部１３ａと、該足部１３ａの先端に形成された押さえ部１３ｂとを有し、押さえ部１３ｂは、その先端方向へ足部１３ａから次第に幅が大きくなるように傾斜して形成された逆テーパー部１３ｂ１を備え、ＬＣＤ１がＬＣＤ収納部３に収納された時に、逆テーパー部１３ｂ１がＬＣＤ１の一辺の上側角部と接触してＬＣＤ１に応力を与えることによりＬＣＤ１を押さえるようになっている。【選択図】図３
2009020338.tif 000002
【特許請求の範囲】
【請求項１】
矩形かつ平板状のＬＣＤを、その表示画面がケースに配置された文字板のＬＣＤ表示領域から視認可能に保持するＬＣＤ保持装置であって、
前記ケースに前記ＬＣＤの外形に合わせて矩形の凹状に形成され、前記ＬＣＤを収納するＬＣＤ収納部と、
前記ＬＣＤ収納部の矩形の一辺に設けられ、前記ＬＣＤ収納部に収納される前記ＬＣＤの一辺を押さえるＬＣＤ押さえ部とを備え、
前記ＬＣＤ押さえ部は、前記ケースより立設された可撓性を有する足部と、該足部の先端に形成された押さえ部とを有し、
前記押さえ部は、その先端方向へ前記足部から次第に幅が大きくなるように傾斜して形成された逆テーパー部を備え、
前記ＬＣＤ押さえ部は、前記ＬＣＤが前記ＬＣＤ収納部に収納された時に、前記逆テーパー部が前記ＬＣＤの前記一辺の上側角部と接触して前記ＬＣＤに応力を与えることにより前記ＬＣＤを押さえるようになっている
ことを特徴とするＬＣＤ保持装置。
【請求項２】
請求項１記載のＬＣＤ保持装置において、
前記ＬＣＤ収納部の矩形の前記一辺と対向する辺の内壁より突出して前記ＬＣＤ収納部の底面へ次第に傾斜するテーパー状に形成された押し当て部をさらに備えている
ことを特徴とするＬＣＤ保持装置。
【請求項３】
請求項１または２記載のＬＣＤ保持装置を適用した車両用メータであって、
文字板の一部にＬＣＤ表示領域を設け、前記ＬＣＤの表示画面を前記ＬＣＤ表示領域から視認できるように前記ＬＣＤ保持装置を配置した
ことを特徴とする車両用メータ。
【発明の詳細な説明】
【技術分野】
【０００１】
本発明は、ＬＣＤ（液晶ディスプレイ）保持装置およびそれを適用した車両用メータに関するものである。
【背景技術】
【０００２】
図５〜図７は、従来のＬＣＤ保持装置を示す。従来より、ＬＣＤ１は、ケース２内に設けられたＬＣＤ収納部３に収納、組み付けられる。ＬＣＤ収納部３には、ＬＣＤ１を上下（Ｚ軸）方向に固定する係止爪４と、上下方向のガタを規制する上下方向押さえバネ５と、ＬＣＤ端子１ａを収納する端子収納部６と、ケース２下方に設けた基板８に配置されたＬＥＤ等の照明用光源９の輝度を調整する遮光部７とが設けられている。
【０００３】
また、ＬＣＤ１の上面には、自動車用メータでは一般的にＬＣＤ表示領域１０ａ以外を黒色等で遮光印刷部１１を設けた文字板１０が設けられており、ＬＣＤ表示領域１０ａを穴抜きした場合と、ＬＣＤ表示領域１０ａを透明とし、傷防止のためハードコート印刷１２を施したものがある。
【特許文献１】特開２００７−３５７０号公報
【発明の開示】
【発明が解決しようとする課題】
【０００４】
しかしながら、上下方向固定用の係止爪４では、ＬＣＤ収納部３の底面から立設する足部４ａと、この足部４ａの先端に形成された爪部４ｂを有する。爪部４ｂは、ＬＣＤ収納部３に収納されたＬＣＤ１においてその側部とで角部を形成する上面と同じ平面になるように形成されてこの上面に接する段部４ｂ１と、この段部４ｂ１を形成するために爪部４ｂの先端部分から傾斜して形成されたテーパー部４ｂ２とを有する。
【０００５】
爪部４ｂのテーパー部４ｂ２は、ＬＣＤ１をＬＣＤ収納部３に収納する際にＬＣＤ１を案内する案内部として作用するために、爪部４ａの段部４ｂ２から先端部での高さｄ１が多く必要となり、ＬＣＤ１の上面に配置される文字板１０との隙間が大きくなり、その結果、文字板１０の表面とＬＣＤ１の表示面に大きな段差が生じ、視認性を損ねるという欠点があった。
【０００６】
また、文字板１０の表示面にハードコート印刷１２を施した場合は、表示面とハードコート印刷１２間の間隔が大きくなるため、ＬＣＤ１発光時に、ハードコート印刷１２による乱反射の影響を多く受けてＬＣＤ表示がにじんで見えるという欠点があった。また、前後方向のガタを規制するために係止部分に応力をかけるようにしたいが、その場合、係止爪４の足部４ａを長くしなければ安定しないという欠点があった。
【０００７】
そこで本発明は、上述した課題に鑑み、文字板のＬＣＤ表示領域に配置されるＬＣＤの表示画面の視認性を向上させることをできるＬＣＤ保持装置およびそれを適用した車両用メータを提供することを目的としている。
【課題を解決するための手段】
【０００８】
上記課題を解決するためになされた請求項１記載の発明は、矩形かつ平板状のＬＣＤを、その表示画面がケースに配置された文字板のＬＣＤ表示領域から視認可能に保持するＬＣＤ保持装置であって、前記ケースに前記ＬＣＤの外形に合わせて矩形の凹状に形成され、前記ＬＣＤを収納するＬＣＤ収納部と、前記ＬＣＤ収納部の矩形の一辺に設けられ、前記ＬＣＤ収納部に収納される前記ＬＣＤの一辺を押さえるＬＣＤ押さえ部とを備え、前記ＬＣＤ押さえ部は、前記ケースより立設された可撓性を有する足部と、該足部の先端に形成された押さえ部とを有し、前記押さえ部は、その先端方向へ前記足部から次第に幅が大きくなるように傾斜して形成された逆テーパー部を備え、前記ＬＣＤ押さえ部は、前記ＬＣＤが前記ＬＣＤ収納部に収納された時に、前記逆テーパー部が前記ＬＣＤの前記一辺の上側角部と接触して前記ＬＣＤに応力を与えることにより前記ＬＣＤを押さえるようになっていることを特徴とする。
【０００９】
上記課題を解決するためになされた請求項２記載の発明は、請求項１記載のＬＣＤ保持装置において、前記ＬＣＤ収納部の矩形の前記一辺と対向する辺の内壁より突出して前記ＬＣＤ収納部の底面へ次第に傾斜するテーパー状に形成された押し当て部をさらに備えていることを特徴とする。
【００１０】
上記課題を解決するためになされた請求項３記載の発明は、請求項１または２記載のＬＣＤ保持装置を適用した車両用メータであって、文字板の一部にＬＣＤ表示領域を設け、前記ＬＣＤの表示画面を前記ＬＣＤ表示領域から視認できるように前記ＬＣＤ保持装置を配置したことを特徴とする。
【発明の効果】
【００１１】
請求項１記載の発明のＬＣＤの保持装置によれば、ＬＣＤ押さえ部の逆テーパー状の押さえ部でＬＣＤを押さえる構造としたので、ＬＣＤと文字板との段差を小さくすることができ、視認性が向上する。また、前後方向および上下方向のガタを規制でき、異音発生を抑えることができる。
【００１２】
請求項２記載の発明のＬＣＤの保持装置によれば、ＬＣＤ押さえ部と対向するＬＣＤ収納部の内壁側にテーパー状の押し当て部を設けたので、ＬＣＤ収納部に収納する際にＬＣＤを案内することができ、組付け作業が容易になると共に、前後方向のガタをさらに規制でき、より異音発生を抑えることができる。
【００１３】
請求項３記載の発明の車両用メータによれば、ＬＣＤの表示画面を、文字板の一部に設けたＬＣＤ表示領域から視認できるようにＬＣＤ保持装置を配置したので、文字板の表面の意匠表示とＬＣＤの表示画面とを、両者の間の段差をほとんど気にすることなく良好に視認することができる。
【発明を実施するための最良の形態】
【００１４】
以下、本発明の実施の形態について図面を参照して説明する。
【００１５】
図１〜図３は、本発明の実施の形態に係るＬＣＤ組付け保持装置を示し、図１は分解斜視図、図２は組付け後の上面図、図３（Ａ）は図２におけるＡ−Ａ線断面図、図３（Ｂ）は図３（Ａ）における円形囲み部分Ｂの拡大図である。
【００１６】
ＬＣＤ１は、矩形の平板状をしており、その一辺に複数のＬＣＤ端子１ａを備えている。ＬＣＤ１は、樹脂製のケース２にＬＣＤ１の外形に合わせて矩形の凹状に形成されたＬＣＤ収納部３に収納されて、組み付けられる。ＬＣＤ収納部３は、ケース２の表面に対して浅めに形成されたＬＣＤ収容部３ａと、このＬＣＤ収容部３ａの中央にすり鉢状に形成された光源用開口部３ｂの２段構造になっている。１段目のＬＣＤ収容部３ａを形成する内壁の一辺には、ＬＣＤ１を上下（Ｚ軸）方向に固定する２つのＬＣＤ押さえ部１３が、ケース２から一体的に立設されている。また、ＬＣＤ収容部３ａを形成する底面には、上下（ｚ軸）方向のガタを規制する上下方向押さえバネ５と、ＬＣＤ端子１ａを収納する端子収納部６が設けられている。光源用開口部３ｂには、ケース２の底面に設けた基板８に配置されたＬＥＤ等の照明用光源９からの発光輝度を調整する遮光部７が設けられている。
【００１７】
また、ＬＣＤ１上には、ＬＣＤ表示領域１０ａ以外を黒色等で遮光印刷部１１を設けた文字板１０がケース２の表面に設けられている。ＬＣＤ表示領域１０ａは透明であり、傷防止のためハードコート印刷１２が施されている。
【００１８】
ＬＣＤ押さえ部１３は、ＬＣＤ収納部３の底面から立設する足部１３ａと、この足部１３ａの先端に形成された押さえ部１３ｂとを有する。図３（Ｂ）の拡大図に示すように、押さえ部１３ｂは、足部１３ａから次第に先端方向へ幅が大きくなるように傾斜して形成された逆テーパー部１３ｂ１と、この逆テーパー部１３ｂ１によって押さえ部１３の先端に文字板１０の裏面と同じ平面になるように形成された先端面１３ｂ２とを有する。逆テーパー部１３ｂ１は、たとえば、文字板１０の表面またはＬＣＤ１の表示面に対して４５度の角度に形成される。このＬＣＤ押さえ部１３は、足部１３ａが可撓性を有し、ＬＣＤ収納部３に収納されたＬＣＤ１と接する時に、ＬＣＤ１に対して応力がかるようにしておく。
【００１９】
また、ＬＣＤ収納部３においてＬＣＤ押さえ部１３が設けられている辺と対向する辺側には、その内壁から突出して底面に向かって坂となるテーパー状にしたリブ形状の押し当て部１４が２つ形成されている。この押し当て部１４は、ケース２の表面から緩い傾斜に形成された緩テーパー部１４ａと、緩テーパー部１４ａから底面に向かって急な傾斜に形成された急テーパー部１４ｂとを有している。
【００２０】
次に、ＬＣＤ１の組付けについて説明する。ＬＣＤ１は、押し当て部１４の緩テーパー部１４ａに案内されてＬＣＤ収納部３に挿入されると、まずＬＣＤ端子１ａが端子収納部６に収納され、続いて急テーパー部１４ｂに案内されることにより端子収納部６を通過したＬＣＤ端子１ａの先端がケース２の下部に配置された基板８に実装されたＬＣＤコネクタ（図４のＬＣＤコネクタ２０）に挿入され、最終的に図３に示すように、ＬＣＤ１は、その一辺における上面（すなわち、表示面）と側部とで形成される上側角部がＬＣＤ押さえ部１３の逆テーパー部１３ｂ１に接触点１５で接触すると共に、その対向辺の下側角部が押し当て部１４に当接してＬＣＤ収容部３ａの底面に組み付けられる。
【００２１】
ＬＣＤ１は組付け完了時に、ＬＣＤ押さえ部１３の逆テーパー１３ｂ１と接触点１５で接触することにより押さえ部１３ｂから応力を受ける。この応力は、逆テーパー部１３ｂ１が４５度の角度で形成されているため、ＬＣＤ１に対してＸ方向（つまり前方向）の分力とＹ方向（つまり下方向）の分力を与える。
【００２２】
そのため、ＬＣＤ押さえ部１３と押し当て部１４により、ＬＣＤ１は、ＬＣＤ収納部３内で上下（ｚ軸）方向だけでなく前後（ｙ軸）方向にも規制され、ガタが生じず、異音発生がなく組み付けられる。なお、上下（ｚ軸）方向は、押さえバネ５との相互作用によっても規制される。また、ＬＣＤ１が端子接続の場合、左右（ｘ軸）方向は、多数のＬＣＤ端子１ａにより位置決めされる。
【００２３】
このように、本発明によれば、従来のような係止爪４による爪部４ａが存在せず、逆テーパー部１３ｂ１との接触でＬＣＤ１がＬＣＤ収納部３に組み付けられるので、逆テーパー部１３ｂ１とＬＣＤ１との接触を発生させる地点（接触点１５）をできるだけ文字板１０に近い位置にすることができるため、文字板１０とＬＣＤ１の表示面との隙間ｄ２は小さくなり、文字板１０の表面の意匠表示とＬＣＤ１の表示画面間の段差が小さくなって、ＬＣＤ１の視認性を向上させることができる。また、文字板１０にハードコート印刷１２を施した場合でも、ハードコート印刷１２による乱反射の影響が小さくなり、表示のにじみは視認上問題のないレベルに収まる。
【００２４】
なお、ＬＣＤ１の表示面を含み、たとえばウォーニング表示を一体とした部分を表ガラスの保護なしで、ハードコート印刷１２による傷防止処理により、表示面周囲をフードで囲むようにしたメータに用いる場合でも、本発明は、にじみの小さいＬＣＤ表示が可能である点で有利である。
【００２５】
次に、図４は、本発明のＬＣＤの組付け構造を適用した車両用メータを示し、（Ａ）は部分正面図、（Ｂ）は断面図である。図４に示すように、車両用メータは、ケース２と裏カバー１６の結合で形成される内部空間に基板８が配置されている。ケース２の表面には見返し２１と共に文字板１０が配置され、その前方に表ガラスが設けられている。基板８には、内機１７、文字板用光源１８、指針用光源１９、ＬＣＤ１用の光源９およびＬＣＤコネクタ２０が実装されている。文字板１０の透明なＬＣＤ表示領域１０ａの下部には、ＬＣＤ表示領域１０ａを介して表ガラス２２側から視認することができるように、上述の組付け構造で組み付けられたＬＣＤ１が配置されている。
【００２６】
このように、本発明のＬＣＤ保持装置を適用した車両用メータでは、ＬＣＤ１の表示画面と文字板１０の表面の意匠表示との段差を小さくすることができ、表ガラス２２側から見た時に、文字板１０の意匠表示とＬＣＤ１の表示とを、両者の間の段差を問題にすることなく良好に視認することができる。
【００２７】
以上の通り、本発明の実施形態について説明したが、本発明はこれに限らず、種々の変形、応用が可能である。
【００２８】
たとえば、上述の実施の形態では、ＬＣＤ１は、ＬＣＤ端子１ａ付きのものとして説明したが、本発明は、ＬＣＤ端子１ａがない場合、たとえばＦＰＣやフラットケーブルで外部出力される形態のＬＣＤにも適用可能である。
【００２９】
また、上述の実施の形態では、押し当て部１４をテーパー状に形成しているが、他の実施例として、押し当て部１４の壁をＬＣＤ収容部３ａの底面に対して垂直とすることもできる。この場合は、押し当て部１４でＬＣＤ１を案内することができないので、ＬＣＤ１をＬＣＤ収納部３に収納する際に、ＬＣＤ押さえ部１３を治具等で外側に押し広げておいてＬＣＤ１を挿入すれば良い。
【００３０】
また、上述の実施の形態では、逆テーパー部１３ｂ１の角度を４５度としているが、これに限らず任意の角度とすることができる。たとえば、逆テーパー部１３ｂ１の角度を４５度より小さくし、Ｙ方向の分力を大きくして上下方向押さえバネ５を省略することもできる。
【図面の簡単な説明】
【００３１】
【図１】本発明の実施の形態に係るＬＣＤ保持装置を説明するための分解斜視図である。
【図２】ＬＣＤ組付け後の上面図である。
【図３】（Ａ）は図２におけるＡ−Ａ線断面図、（Ｂ）は（Ａ）における円形囲み部分Ｂの拡大図である。
【図４】（Ａ）は、本発明のＬＣＤ保持装置を適用した車両用メータの部分正面図、（Ｂ）は車両用メータの断面図である。
【図５】従来のＬＣＤの組付け構造を説明するための分解斜視図である。
【図６】ＬＣＤ組付け後の上面図である。
【図７】図６におけるＡ−Ａ線断面図である。
【符号の説明】
【００３２】
１      ＬＣＤ
２      ケース
３      ＬＣＤ収納部
１０      文字板
１３      ＬＣＤ押さえ部
１３ａ    足部
１３ｂ    押さえ部
１３ｂ１  逆テーパー部
１４      押し当て部
【図１】
2009020338.tif 000003
【図２】
2009020338.tif 000004
【図３】
2009020338.tif 000005
【図４】
2009020338.tif 000006
【図５】
2009020338.tif 000007
【図６】
2009020338.tif 000008
【図７】
2009020338.tif 000009